(57)【要約】【課題】雌ねじ部に塗膜が付着しているナット等にボルトを螺入する際に、塗膜を除去しつつ適正な締付力でボルトをナット等に螺入することを可能にする手段を提供する。【解決手段】塗膜除去ボルト１６Ａは、ボルトヘッド部１７と、ボルト軸部１８と、雄ねじ部１９と、先端テーパ部２０と、ボルト首部２１と、２つの溝部２２とを備えている。塗膜除去ボルト１６Ａにおいては、溝部２２の両側縁部２４の近傍において雄ねじ部１９に、該雄ねじ部１９のねじ山の頂部近傍部がボルト首部２１側ないしはボルトヘッド部１７側に、すなわち圧力側フランク面方向に傾倒するように塑性変形されてなる傾倒ねじ山変形部２５が形成されている。雌ねじ部に塗膜が付着しているナット等に塗膜除去ボルト１６Ａを螺入する際に、傾倒ねじ山変形部２５は、雌ねじ部に付着している塗膜を剥離する。剥離された塗膜は溝部２２を経由して外部に排出される。【選択図】図１０
2011179611.tif 000002
【特許請求の範囲】
【請求項１】
ボルト軸部の雄ねじ部が形成された部分の外周部に、ボルト先端又はボルト先端近傍部からボルト末端側に向かって伸びる溝部が形成され、
上記溝部の少なくとも一方の側縁部の近傍において上記雄ねじ部に、該雄ねじ部のねじ山の頂部近傍部がボルト軸線方向に突出するように塑性変形されてなるねじ山変形部が形成されていることを特徴とする塗膜除去ボルト。
【請求項２】
上記ねじ山変形部は、上記雄ねじ部の頂部近傍部がボルト末端側に傾倒するように塑性変形させられたものであることを特徴とする、請求項１に記載の塗膜除去ボルト。
【請求項３】
上記ねじ山変形部は、上記雄ねじ部の頂部近傍部がボルト径方向に圧潰されボルト先端側及びボルト末端側にはみ出すように塑性変形させられたものであることを特徴とする、請求項１に記載の塗膜除去ボルト。
【請求項４】
請求項１に記載の塗膜除去ボルトの製造方法であって、
冷間鍛造成形により、ボルト材料のボルト軸部の外周面に、ボルト材料先端又はボルト材料先端近傍部からボルト材料末端側に向かって伸びる溝部を形成し、
ねじ転造成形により、ボルト軸部の外周面に雄ねじ部を形成し、
上記溝部の少なくとも一方の側縁部の近傍において、上記雄ねじ部のねじ山の頂部近傍部がボルト軸線方向に突出するように上記雄ねじ部を塑性変形させることによりねじ山変形部を形成することを特徴とする塗膜除去ボルトの製造方法。
【請求項５】
請求項２に記載の塗膜除去ボルトの製造方法であって、
冷間鍛造成形により、ボルト材料のボルト軸部の外周面に、ボルト材料先端又はボルト材料先端近傍部からボルト材料末端側に向かって伸びる溝部を形成し、
ねじ転造成形により、ボルト軸部の外周面に雄ねじ部を形成し、
上記溝部の少なくとも一方の側縁部の近傍に対応する部分以外の部分ではボルト軸部の横断面の外周形状に符合する形状を有する一方、上記溝部の少なくとも一方の側縁部の近傍に対応する部分では上記ボルト軸部の横断面の外周形状よりも縮小された形状を有する中空部を備えた金型を準備し、
上記中空部の形状と上記ボルト軸部の横断面の外周形状とが符合する位置関係を維持しつつ、上記ボルト材料をボルト先端側から上記中空部に圧入し、上記中空部の周壁により、上記溝部の側縁部の近傍で上記雄ねじ部の頂部近傍部を、ボルト材料末端側に傾倒するように塑性変形させてねじ山変形部を形成することを特徴とする塗膜除去ボルトの製造方法。
【請求項６】
請求項３に記載の塗膜除去ボルトの製造方法であって、
冷間鍛造成形により、ボルト材料のボルト軸部の外周面に、ボルト材料先端又はボルト材料先端近傍部からボルト材料末端側に向かって伸びる溝部を形成し、
ねじ転造成形により、ボルト軸部の外周面に雄ねじ部を形成し、
上記溝部の少なくとも一方の側縁部の近傍に対応する部分において上記雄ねじ部の頂部近傍部を、押圧部材を用いてプレス成形によりボルト径方向に圧潰しボルト先端側及びボルト末端側にはみ出すように塑性変形させてねじ山変形部を形成することを特徴とする塗膜除去ボルトの製造方法。
【発明の詳細な説明】
【技術分野】
【０００１】
本発明は塗膜除去ボルト及びその製造方法に関するものである。より詳しくは、雌ねじ部に塗料が付着し塗膜が形成されているナットその他の雌ねじ部を備えた部材（以下「ナット等」という。）に螺入する際に、雌ねじ部の塗膜を除去しつつ円滑にナット等に螺入することができ、十分な締付力でもってナット等と締結することができる塗膜除去ボルト及びその製造方法に関するものである。
【背景技術】
【０００２】
一般に、ボルトを用いて複数の部材を互いに締結することにより組み立てられる一方、少なくとも一部の部材に塗装が施される組立体の製作過程においては、ある部材に塗装が施された後、この部材に他の部材がボルト締結される場合がある。例えば、自動車の車体の組み立て過程においては、まず車体の主要部をなす板状部材にナットを溶接し、次にこの板状部材に塗装を施し、この後ナットにボルトを螺入することにより他の部材を板状部材に固定する場合がある。
【０００３】
この場合、板状部材に塗装を行う際に、ナットの雌ねじ部に塗料が付着する。とくに、ナットの雌ねじ部のねじ山間の谷部、あるいはねじ山のフランク面にはかなりの量の塗料が付着する。このように、雌ねじ部に塗料が付着して塗膜が形成されたナットにボルトを螺入する場合、雌ねじ部に付着している塗料により、ナットの雌ねじ部とボルトの雄ねじ部との間のクリアランスが過少又は皆無となり、雌ねじ部と雄ねじ部との間の摩擦力が増大し締付異常が発生することがある。このような締付異常が発生すると、ボルトとナットとの間に十分な締付軸力が得られず、ボルトとナットとを強固ないしは確実に締結することができない。
【０００４】
また、例えばボルトが自動車のアースボルトである場合、該ボルトと車体ないしは該車体に溶接されたナットとの間に通電性を確保することが必要であるが、ナットの雌ねじ部に塗料が付着していると、塗料が絶縁性のものであるときには、ボルトと車体ないしはナットと間の通電性を十分に確保することができない。
【０００５】
そこで、図１〜図３に示すように、雄ねじ部１が形成されたボルト軸部２の外周面に、ボルト先端部３からボルトヘッド部４側に向かってボルト中心軸方向に伸びる溝５を形成する一方、溝５の周縁部近傍の部分では、雄ねじ部１のねじ山の高さをその他の部分よりも高くした塗料除去ボルトが提案されている（特許文献１参照）。この従来の塗料除去ボルトでは、溝５の周縁部近傍の部分に形成されたねじ山の高さが高い部分６（以下「ねじ山隆起部６」という。）により、該塗料除去ボルトが螺入されるナット等の雌ねじ部（図示せず）に付着した塗料を除去するようにしている。なお、特許文献１に開示された塗料除去ボルトでは、溝５の一方の側の周縁部のねじ山隆起部６は刃６ａとして形成され、他方の側のねじ山隆起部６は逃げ部６ｂとして形成されている。
【０００６】
この従来の塗料除去ボルトのねじ山隆起部６はおよそ次のような手順で形成される。すなわち、雄ねじ部１を形成する前に冷間加工によりボルト軸部２に溝５を形成する。その際、図４に示すように、溝５の周縁部に突出部７が形成される。この後、ボルト軸部２に転造成形により雄ねじ部１を形成する。その結果、突出部７に対応する部分はねじ山の高さが高くなってねじ山隆起部６（刃６ａ及び逃げ部６ｂ）となり、突出部７以外の部分は通常の高さのねじ山（以下「正規ねじ山部」という。）となる。
【先行技術文献】
【特許文献】
【０００７】
【特許文献１】特開平０５−３１８０１７号公報
【発明の概要】
【発明が解決しようとする課題】
【０００８】
図５及び図６に示すように、特許文献１に開示された従来の塗料除去ボルトにおいては、ねじ山隆起部６（刃６ａ及び逃げ部６ｂ）の高さは正規ねじ山部の高さＨよりも高いので、ナット等に塗料除去ボルトを螺入する際に、ねじ山隆起部６により雌ねじ部に付着している塗料を除去することができる。
【０００９】
しかしながら、塗料除去ボルトをナット等に螺入する際に、ねじ山隆起部６（刃６ａ及び逃げ部６ｂ）をナット等の雌ねじ部と干渉ないしは係合させる際には、ねじ山隆起部６の正規ねじ山部より高い部分、すなわち正規ねじ山部に比べて体積が増加している部分（以下「体積増加部分」という。）を、図６中に矢印Ｐで示すように塑性流動により変形させながら塗料除去ボルトをナット等に螺入しなければならない。また、塗料除去ボルトは逃げ溝６ｂを備えているが、ねじ山隆起部６の体積増加部分と雌ねじ部のねじ山との間の干渉度合いが大き過ぎると、この部位で塗料除去ボルトの素材を塑性流動させるための摩擦力が増大し、適正な締付力が得られず、正常な締付を行うことができなくなるといった問題がある。
【００１０】
本発明は、上記従来の問題を解決するためになされたものであって、雌ねじ部に塗料が付着して塗膜が形成されたナット等にボルトを螺入する際に、塗料ないしは塗膜を除去しつつ適正な締付力でボルトをナット等に締結することを可能にする手段を提供することを解決すべき課題とする。
【課題を解決するための手段】
【００１１】
上記課題を解決するためになされた本発明に係る塗膜除去ボルトにおいては、ボルト軸部の雄ねじ部が形成された部分の外周部に、ボルト先端からボルト末端側に向かって伸びる溝部が形成されている。そして、溝部の少なくとも一方の側縁部（溝肩部）の近傍において雄ねじ部に、該雄ねじ部のねじ山の頂部近傍部がボルト軸線方向に突出するように変形されてなるねじ山変形部が形成されている。なお、ねじ山変形部は、溝部の両側縁部の近傍にそれぞれ形成されているのが好ましい。また、溝部は複数形成されているのが好ましい。この塗膜除去ボルトは、例えば下記のような製造方法で製造することができる。
【００１２】
すなわち、まず、冷間鍛造成形により、ボルト材料のボルト軸部の外周面に、ボルト先端からボルト末端側に向かって伸びる溝部を形成する。次に、ネジ転造成形により、ボルト軸部の外周面に雄ねじ部を形成する。この後、溝部の少なくとも一方の側縁部の近傍において、雄ねじ部のねじ山の頂部近傍部がボルト軸線方向に突出するように雄ねじ部を塑性変形させることによりねじ山変形部を形成する。これにより、塗膜除去ボルトが完成する。
【００１３】
本発明に係る塗膜除去ボルトにおいては、ねじ山変形部は、雄ねじ部の頂部近傍部がボルト末端側に傾倒する（倒れる）ように塑性変形させられたものであるのが好ましい。この塗膜除去ボルトは、例えば下記のような製造方法で製造することができる。
【００１４】
すなわち、まず、冷間鍛造成形により、ボルト材料のボルト軸部の外周面に、ボルト先端からボルト末端側に向かって伸びる溝部を形成する。次に、ねじ転造成形により、ボルト軸部の外周面に雄ねじ部を形成する。そして、溝部の少なくとも一方の側縁部の近傍に対応する部分以外の部分ではボルト軸部の横断面の外周形状に符合（フィット）する形状を有する一方、溝部の少なくとも一方の側縁部の近傍に対応する部分ではボルト軸部の横断面の外周形状よりも縮小された形状を有する中空部を備えた金型を準備する。この後、中空部の形状とボルト軸部の横断面の外周形状とが符合する位置関係を維持しつつ、ボルト材料をボルト先端側から上記中空部に圧入し、中空部の周壁により、溝部の側縁部の近傍で上記雄ねじ部の頂部近傍部を、ボルト末端側に傾倒するように塑性変形させてねじ山変形部を形成する。これにより、塗膜除去ボルトが完成する。
【００１５】
本発明に係る塗膜除去ボルトにおいては、ねじ山変形部は、雄ねじ部の頂部近傍部がボルト径方向に圧潰されボルト先端側及びボルト末端側にはみ出すように塑性変形させられたものであってもよい。この塗膜除去ボルトは、例えば下記のとおりの製造方法で製造することができる。
【００１６】
すなわち、まず、冷間鍛造成形により、ボルト材料のボルト軸部の外周面に、ボルト先端からボルト末端側に向かって伸びる溝部を形成する。次に、ねじ転造成形により、ボルト軸部の外周面に雄ねじ部を形成する。この後、溝部の少なくとも一方の側縁部の近傍に対応する部分において雄ねじ部の頂部近傍部を、押圧部材を用いてプレス成形によりボルト径方向に圧潰しボルト先端側及びボルト末端側にはみ出すように塑性変形させてねじ山変形部を形成する。これにより、塗膜除去ボルトが完成する。
【発明の効果】
【００１７】
本発明に係る塗膜除去ボルトによれば、雌ねじ部に塗料が付着して塗膜が形成されたナット等に該塗膜除去ボルトを螺入する際に、ねじ山変形部により塗膜を剥離し、剥離した塗料ないしは塗膜を溝部を経由して外部に除去することができる。このように、塗料ないしは塗膜をナット等の雌ねじ部から除去することができるので、適正な締付力でボルトをナット等に円滑に螺入して強固に締結することができる。また、ボルトとナット等との間に導電性をもたせる必要がある場合、例えば塗膜除去ボルトが自動車のアースボルトである場合は、ボルトとナット等との間に導電性を確実に確保することができる。
【００１８】
ねじ山変形部は、正規ねじ山部すなわち普通のねじ山部を、例えばボルト末端側に傾倒するように塑性変形させ、あるいは雄ねじ部の頂部近傍部をボルト径方向に圧潰して塑性変形させることにより形成されたものであるので、ねじ山変形部の形成によりねじ山部の体積増加は生じない。すなわち、ねじ山変形部を伴ったねじ山部の体積は、正規ねじ山部の体積と実質的に同一である。このため、ねじ山変形部とナット等の雌ねじ部との間の干渉度合いが大きい場合でも、この部位で塗膜除去ボルトの素材を塑性流動させるための摩擦力はさほど増大せず、適正な締付力でもって塗膜除去ボルトをナット等に強固に締め付けることができる。
【００１９】
本発明に係る塗膜除去ボルトの製造方法によれば、前記のとおりの効果を奏する各種塗膜除去ボルトを容易にかつ安価に製造することができる。
【図面の簡単な説明】
【００２０】
【図１】従来の塗料除去ボルト側面図である。
【図２】図１に示す塗料除去ボルトの下面図である。
【図３】図１に示す塗料除去ボルトの軸部のねじ山が形成された部分の模式的な側面断面図である。
【図４】図１に示す塗料除去ボルトを製造する過程において、溝が形成された状態における塗料除去ボル材料の側面図である。
【図５】図１に示す塗料除去ボルトのねじ山の模式的な側面断面図であり、ねじ山隆起部の高さと通常ねじ山部の高さの相違を示している。
【図６】図１に示す塗料除去ボルトの拡大された下面図であり、該塗料除去ボルトを雌ねじに螺入する際におけるねじ山隆起部の塑性流動の態様を示している。
【図７】塗膜除去機能をもたせるためにボルトのねじ山を変形させる１つの手法を示す図である。
【図８】塗膜除去機能をもたせるためにボルトのねじ山を変形させるもう１つの手法を示す図である。
【図９】軸部に溝が形成されたボルトの側面図である。
【図１０】本発明の実施形態１に係るボルトの側面図である。
【図１１】図１２に示すボルトのＡ−Ａ線断面図であり、溝肩部におけるねじ山の形状を示している。
【図１２】図１０に示すボルトの溝まわりの軸部を拡大して示す側面図である。
【図１３】本発明の実施形態２に係るボルトの側面図である。
【図１４】図１５に示すボルトのＢ−Ｂ線断面図であり、溝肩部におけるねじ山の形状を示している。
【図１５】図１３に示すボルトの溝まわりの軸部を拡大して示す側面図である。
【図１６】（ａ）、（ｂ）及び（ｃ）は、それぞれ、本発明の実施形態１に係るボルトの製造過程の途中にあるボルト材料の上面図、側面図及び下面図であり、溝が形成された後においてねじ山が形成される前の状態を示している。
【図１７】図１６（ｂ）に示すボルト材料のＣ−Ｃ線断面図である。
【図１８】（ａ）、（ｂ）及び（ｃ）は、それぞれ、本発明の実施形態１に係るボルトの製造過程の途中にあるボルト材料の上面図、側面図及び下面図であり、ねじ山が形成された後の状態を示している。
【図１９】図１８（ｂ）に示すボルト材料のＤ−Ｄ線断面図である。
【図２０】図１８（ｂ）に示すボルト材料のＤ−Ｄ線断面図である。
【図２１】金型及び該金型内に配置されたボルト材料の軸部の上面断面図（横断面図）である。
【図２２】（ａ）はねじ山を変形させる前の状態におけるボルト材料の側面図であり、（ｂ）は（ａ）に示すボルト材料を変形させるための金型の側面図であり、（ｃ）は（ｂ）に示す金型を矢印Ｆで示す方向からみた下面図である。
【図２３】ねじ山を変形させた後の状態におけるボルト材料の側面図である。
【発明を実施するための形態】
【００２１】
（本発明の前提となる技術思想）
以下、本発明の実施形態を具体的に説明する。まず、図７〜図９を参照しつつ、本発明の前提となる技術思想を説明する。特許文献１にも開示されているように、ボルトのねじ山部の一部を隆起させてねじ山隆起部を設けると、該ボルトがナット等に螺入されたときに、ねじ山隆起部がナット等の雌ねじ部と干渉する。そして、この干渉により雌ねじ部に付着している塗料を剥離させ除去することができる。しかしながら、前記のとおり、ねじ山隆起部を設けると、ねじ山の体積増加により、ねじ山隆起部がナット等の雌ねじ部と干渉するときにボルト素材を塑性流動させるための摩擦力が増大し、適正な締付力が得られないといった問題が生じる。
【００２２】
そこで、図７に示すように、ボルト材料に正規ねじ山部１０を形成した後、この正規ねじ山部１０をボルト径方向下向きにプレスないしは圧潰してボルト中心軸の伸びる方向（図７中の位置関係では左右方向）の両側にはみ出すように塑性変形させてねじ山変形部１１（以下「プレスねじ山変形部１１」という。）を形成するといった手法が考えられる。なお、このようなプレスねじ山変形部１１は、例えば、まずボルト材料に正規ねじ山部１０を形成し、この正規ねじ山部１０の所定の部分の頂部に、当接面が平坦な押圧部材１２を当接させ、この押圧部材１２に所定の成形荷重Ｌを加えることにより形成することができる。
【００２３】
この場合、プレスねじ山変形部１１を伴ったねじ山部の体積は、正規ねじ山部１０の体積と実質的に同一であるので、プレスねじ山変形部１１とナット等の雌ねじ部との間の干渉度合いが大きい場合でも、ボルト素材を塑性流動させるための摩擦力はさほど増大しない。
【００２４】
しかしながら、剥離された塗料がボルトの雄ねじ部とナット等の雌ねじ部との隙間に溜まり、これにより摩擦力が増大する。また、ボルトとナット等との間に導電性をもたせる必要がある場合、例えばボルトが自動車のアースボルトである場合は、ボルトとナット等との間の導電性を十分に確保することができない。なお、プレスねじ山変形部１１とナット等の雌ねじ部との干渉度合いが大きい場合、プレスねじ山変形部１１は元の正規ねじ山部１０の形状に復元しにくいので、ナット等に螺入したときに、ボルトとナット等との間の締付摩擦力の増大や、ボルトとナット等の固着（ガジリ付き）が生じるおそれがある。
【００２５】
また、図８に示すように、ボルト材料に正規ねじ山部１０を形成した後、この正規ねじ山部１０を、その頂部近傍部がボルト末端側（図８中の位置関係では左向き）に傾倒するように塑性変形させてねじ山変形部１３（以下「傾倒ねじ山変形部１３」という。）を形成するといった手法が考えられる。
【００２６】
この場合、傾倒ねじ山変形部１３を伴ったねじ山部の体積は、正規ねじ山部１０の体積と実質的に同一であるので、傾倒ねじ山変形部１３とナット等の雌ねじ部との間の干渉度合いが大きい場合でも、ボルト素材を塑性流動させるための摩擦力はさほど増大しない。
【００２７】
しかしながら、この場合も、剥離された塗料がボルトの雄ねじ部とナット等の雌ねじ部との隙間に溜まり、これにより摩擦力が増大する。また、ボルトとナット等との間に導電性をもたせる必要がある場合、ボルトとナット等との間の導電性を十分に確保することができない。なお、この場合も、傾倒ねじ山変形部１３とナット等の雌ねじ部との干渉度合いが大きい場合、傾倒ねじ山変形部１３は元の正規ねじ山部１０の形状に復元しにくいので、ナット等に螺入したときに、ボルトとナット等との間の締付摩擦力の増大や、ボルトとナット等の固着（ガジリ付き）が生じるおそれがある。
【００２８】
（実施形態１に係る塗膜除去ボルト）
以下、図９〜図１２を参照しつつ、本発明の実施形態１に係る塗膜除去ボルトの構成及び機能を具体的に説明する。図９は、溝部は形成されているものの、ねじ山変形部が形成されていない、本願発明に係る塗膜除去ボルトとの比較のための比較例であるボルト１５の側面図であり、図１０は本発明の実施形態１に係る溝部及び傾倒ねじ山変形部が形成された塗膜除去ボルト１６Ａの側面図である。
【００２９】
図９に示すように、比較例に係るボルト１５は、ボルトヘッド部１７とボルト軸部１８とを有し、ボルト軸部１８の外周面には雄ねじ部１９が形成されている。ボルト軸部１８の先端部近傍には雄ねじが形成されていない先端テーパ部２０が設けられる一方、末端部近傍には雄ねじが形成されていないボルト首部２１が設けられている。そして、ボルト軸部１８の外周部には、先端テーパ部２０からボルト首部２１ないしはボルトヘッド部１７に向かって、ボルト中心軸と平行な方向に直線状に伸びる２つの溝部２２が設けられている。両溝部２２は、ボルト１５の円周方向に関して、互いに中心角で１８０°ずれた位置に配置されている。なお、各溝部２２は、ボルト首部２１よりややボルト先端側の部位において雄ねじ部１９が形成された部分で終端している。
【００３０】
図１０に示すように、本発明の実施形態１に係る塗膜除去ボルト１６Ａは、基本的には比較例に係るボルト１５と同様に、ボルトヘッド部１７と、ボルト軸部１８と、雄ねじ部１９と、先端テーパ部２０と、ボルト首部２１と、２つの溝部２２とを備えている。さらに、塗膜除去ボルト１６Ａにおいては、各溝部２２の両側縁部２４（溝肩部）の近傍において雄ねじ部１９に、該雄ねじ部１９のねじ山の頂部近傍部がボルト首部２１側ないしはボルトヘッド部１７側に、すなわち圧力側フランク面方向に傾倒するように塑性変形されてなる傾倒ねじ山変形部２５が形成されている。ただし、ボルト先端側の１つの小径の雄ねじと、ボルト末端側のいくつかの雄ねじとには、傾倒ねじ山変形部２５は形成されていない。
【００３１】
前記のとおり、塗膜除去ボルト１６Ａの傾倒ねじ山変形部２５は、図９に示すような普通の雄ねじ部１９すなわち正規ねじ山部を、ボルト首部２１側すなわち圧力側フランク面方向に傾倒するように塑性変形させることにより形成されたものである。したがって、傾倒ねじ山変形部２５の形成により雄ねじ部１９の体積増加は生じない。すなわち、傾倒ねじ山変形部２５が形成された雄ねじ部の体積は、傾倒ねじ山変形部２５が形成されていない正規の雄ねじ部の体積と実質的に同一である。
【００３２】
なお、実施形態１に係る塗膜除去ボルト１６Ａは２つの溝部２２を備えているが、溝部２２の数は２つに限定されるわけではなく、１つであってもよく、また３つ以上であってもよい。各溝部２２の深さはとくには限定されないが、該塗膜除去ボルト１６Ａを螺入すべきナット等に付着している塗料ないしは塗膜が多い場合は、その量に応じて溝部２２の深さを深くするのが好ましい。また、実施形態１に係る塗膜除去ボルト１６Ａでは、ボルト締付回転方向に関して溝部２２の先行側及び後行側の両側縁部２４（溝肩部）の近傍にそれぞれ雄ねじ部１９に傾倒ねじ山変形部２５を形成しているが（図１２参照）、溝部２２の先行側又は後行側のいずれか一方の側縁部２４の近傍にのみ傾倒ねじ山変形部２５を形成してもよい。
【００３３】
塗膜除去ボルト１６Ａにおいて、溝部２２は、該塗膜除去ボルト１６Ａが螺入されるナット等の雌ねじ部から剥離して除去した塗料ないしは塗膜を外部に円滑に排出する機能を有する。さらに、溝部２２は、後で詳しく説明するように、該溝部２２の両側縁部２４（両溝肩部）の近傍において雄ねじ部１９に形成された傾倒ねじ山変形部２５が、ナット等の雌ねじ部と干渉して変形するときの抵抗を低減する機能を有する。
【００３４】
以下、図１１及び図１２を参照しつつ、実施形態１に係る塗膜除去ボルト１６Ａにおける溝部２２及び傾倒ねじ山変形部２５の機能ないしは作用・効果を説明する。塗膜除去ボルト１６Ａを図１２中の矢印Ｒで示すようにボルト中心軸まわりに回転させ、雌ねじ部に塗料ないしは塗膜が付着しているナット等に螺入する際に、傾倒ねじ山変形部２５は、塗膜除去ボルト１６Ａの回転に伴い、ナット等の雌ねじ部に付着している塗料ないしは塗膜を剥離する。このように剥離された塗料は、塗膜除去ボルト１６Ａのボルト中心軸まわりの回転に伴い、溝部２２を経由して外部に押し出され、排出される。
【００３５】
このように、傾倒ねじ山変形部２５及び溝部２２によって、塗料ないしは塗膜がナット等の雌ねじ部から外部に除去されるので、適正な締付力で塗膜除去ボルト１６Ａをナット等に円滑に螺入して強固に締結することができる。また、塗膜除去ボルト１６Ａとナット等との間に導電性をもたせる必要がある場合、例えば塗膜除去ボルト１６Ａが自動車のアースボルトである場合は、塗膜除去ボルト１６Ａとナット等との間の導電性を確実に確保することができる。
【００３６】
前記のとおり、傾倒ねじ山変形部２５の形成により雄ねじ部１９の体積増加は生じないので、傾倒ねじ山変形部２５が形成された雄ねじ部の体積は、傾倒ねじ山変形部２５が形成されていない正規の雄ねじ部の体積と実質的に同一である。このため、傾倒ねじ山変形部２５とナット等の雌ねじ部との間の干渉度合いが大きい場合でも、この部位で塗膜除去ボルト１６Ａの素材を塑性流動させるための摩擦力はさほど増大せず、適正な締付力でもって塗膜除去ボルト１６Ａをナット等に強固に締め付けることができる。
【００３７】
また、塗膜除去ボルト１６Ａをナット等に螺入する際には、ボルト首部２１側すなわち圧力側フランク面方向に突起している傾倒ねじ山変形部２５は、ナット等の雌ねじ部のフランク面と干渉する。他方、傾倒ねじ山変形部２５は、溝部２２の側縁部２４（溝肩部）に形成されているので、雄ねじ部１９の基部によって片持ち梁（カンチレバー）の形態で支持されているだけであり、さほど堅固に支持されていない。
【００３８】
このため、傾倒ねじ山変形部２５とナット等の雌ねじ部との干渉度合いが大きい場合は、図１１中の矢印Ｑで示すように、傾倒ねじ山変形部２５は雌ねじ部のフランク面によって容易に変形させられ、おおむね元の形状すなわち正規の雄ねじ部１９の形状に復帰する。このため、塗膜除去ボルト１６Ａとナット等との間の締付摩擦力の増大、あるいは塗膜除去ボルト１６Ａとナット等の固着（ガジリ付き）は生じない。したがって、傾倒ねじ山変形部２５とナット等の雌ねじ部との間の干渉度合いが大きい場合でも、この部位で塗膜除去ボルト１６Ａの素材を塑性流動させるための摩擦力はさほど増大せず、適正な締付力でもって塗膜除去ボルト１６Ａをナット等に強固に締め付けることができる。
【００３９】
なお、図８に示すように溝部を設けず単純に傾倒ねじ山変形部１３を設けたボルトでは、前記のとおり、傾倒ねじ山変形部１３とナット等の雌ねじ部との干渉度合いが大きい場合、傾倒ねじ山変形部１３は元の正規ねじ山部１０の形状に復元しにくいので、ナット等に螺入したときに、ボルトとナット等との間の締付摩擦力の増大やボルトとナット等の固着が生じる。
【００４０】
（実施形態２に係る塗膜除去ボルト）
以下、図１３〜図１５を参照しつつ、本発明の実施形態２に係る塗膜除去ボルト１６Ｂの構成及び機能を具体的に説明する。ただし、実施形態２に係る塗膜除去ボルト１６Ｂは前記の実施形態１に係る塗膜除去ボルト１６Ａと多くの共通点をもつので、説明の重複を避けるため、以下では主として実施形態１に係る塗膜除去ボルト１６Ａと異なる点を説明する。なお、図１３〜図１５に示す塗膜除去ボルト１６Ｂにおいて、図１０〜図１２に示す実施形態１に係る塗膜除去ボルト１６Ａと共通する構成要素には、同一の参照番号を付している。
【００４１】
図１３〜図１５に示すように、実施形態２に係る塗膜除去ボルト１６Ｂにおいては、各溝部２２の両側縁部２４（溝肩部）の近傍において雄ねじ部１９に、該雄ねじ部１９のねじ山の頂部近傍部が下向きにプレス（圧潰）され、正規のフランク面に対して、ボルト中心軸の伸びる方向の両側にはみ出すように塑性変形されてなるプレス型ねじ山変形部２７が形成されている。ただし、ボルト先端側のいくつかの雄ねじと、ボルト末端側のいくつかの雄ねじにはプレスねじ山変形部２７は形成されていない。なお、プレスねじ山変形部２７の頂部はほぼ平坦である。
【００４２】
前記のとおり、塗膜除去ボルト１６Ｂのプレスねじ山変形部２７は、図９に示すような普通の雄ねじ部１９すなわち正規ねじ山部を、正規のフランク面に対して、ボルト中心軸の伸びる方向にはみ出すように塑性変形させることにより形成されたものである。したがって、プレスねじ山変形部２７の形成により雄ねじ部１９の体積増加は生じない。すなわち、プレスねじ山変形部２７が形成された雄ねじ部の体積は、プレスねじ山変形部２７が形成されていない正規の雄ねじ部の体積と実質的に同一である。
【００４３】
塗膜除去ボルト１６Ｂにおいて、溝部２２は、実施形態１に係る塗膜除去ボルト１６Ａの場合と同様に、ナット等の雌ねじ部から剥離して除去した塗料ないしは塗膜を外部に円滑に排出する機能を有する。さらに、溝部２２は、該溝部２２の両側縁部２４（溝肩部）近傍において雄ねじ部１９に形成されたプレスねじ山変形部２７が、ナット等の雌ねじ部と干渉して変形するときの抵抗を低減する機能を有する。
【００４４】
以下、実施形態２に係る塗膜除去ボルト１６Ｂにおける溝部２２及びプレスねじ山変形部２７の機能ないしは作用・効果を説明する。塗膜除去ボルト１６Ｂをボルト中心軸まわりに回転させ、雌ねじ部に塗料ないしは塗膜が付着しているナット等に螺入する際に、プレスねじ山変形部２７は、塗膜除去ボルト１６Ｂの回転に伴い、ナット等の雌ねじ部に付着している塗料ないしは塗膜を剥離する。このように剥離された塗料は、塗膜除去ボルト１６Ｂのボルト中心軸まわりの回転に伴い、溝部２２を経由して外部に押し出され、排出される。
【００４５】
このように、プレスねじ山変形部２７及び溝部２２によって、塗料ないしは塗膜がナット等の雌ねじ部から外部に除去されるので、適正な締付力で塗膜除去ボルト１６Ｂをナット等に円滑に螺入して強固に締結することができる。また、塗膜除去ボルト１６Ｂとナット等との間に導電性をもたせる必要がある場合、例えば塗膜除去ボルト１６Ｂが自動車のアースボルトである場合は、塗膜除去ボルト１６Ｂとナット等との間の導電性を確実に確保することができる。
【００４６】
前記のとおり、プレスねじ山変形部２７の形成により雄ねじ部１９の体積増加は生じないので、プレスねじ山変形部２７が形成された雄ねじ部の体積は、プレスねじ山変形部２７が形成されていない正規の雄ねじ部の体積と実質的に同一である。このため、プレスねじ山変形部２７とナット等の雌ねじ部との間の干渉度合いが大きい場合でも、この部位で塗膜除去ボルト１６Ｂの素材を塑性流動させるための摩擦力はさほど増大せず、適正な締付力でもって塗膜除去ボルト１６Ｂをナット等に強固に締め付けることができる。
【００４７】
また、塗膜除去ボルト１６Ｂをナット等に螺入する際には、ボルト中心軸方向に関して両側にはみ出しているプレスねじ山変形部２７は、ナット等の雌ねじ部のフランク面と干渉する。他方、プレスねじ山変形部２７は溝部２２の側縁部２４（溝肩部）に形成されているので、さほど堅固に支持されていない。
【００４８】
このため、プレスねじ山変形部２７とナット等の雌ねじ部との干渉度合いが大きい場合は、プレスねじ山変形部２７は雌ねじ部のフランク面によって容易に変形させられ、おおむね元の形状すなわち正規の雄ねじ部１９の形状に復帰する。このため、塗膜除去ボルト１６Ｂとナット等との間の締付摩擦力の増大、あるいは塗膜除去ボルト１６Ｂとナット等の固着（ガジリ付き）は生じない。したがって、プレスねじ山変形部２７とナット等の雌ねじ部との間の干渉度合いが大きい場合でも、この部位で塗膜除去ボルト１６Ｂの素材を塑性流動させるための摩擦力はさほど増大せず、適正な締付力でもって塗膜除去ボルト１６Ｂをナット等に強固に締め付けることができる。
【００４９】
なお、図７に示すように溝部を設けず単純にプレスねじ山変形部１１を設けたボルトでは、前記のとおり、プレスねじ山変形部１１とナット等の雌ねじ部との干渉度合いが大きい場合、プレスねじ山変形部１１は元の正規ねじ山部１０の形状に復元しにくいので、ナット等に螺入したときに、ボルトとナット等との間の締付摩擦力の増大やボルトとナット等の固着が生じるおそれがある。
【００５０】
（実施形態１に係る塗膜除去ボルトの製造方法）
以下、図１６〜図２２を参照しつつ、実施形態１に係る塗膜除去ボルト１６Ａの製造方法を説明する。この塗膜除去ボルト１６Ａの製造方法においては、まず図１６（ａ）〜（ｃ）及び図１７に示すように、所定の金属材料からなりボルトヘッド部１７及びボルト軸部１８を備えたボルト材料３０に対して冷間鍛造成形が施され、ボルト軸部１８の外周面に、ボルト材料先端又はボルト材料先端近傍部からボルト材料末端側に向かってボルト材料中心軸方向に直線状に伸びる２つの溝部２２が形成される。両溝部２２は、ボルト材料３０の円周方向に関して、互いに中心角で１８０°ずれた位置に配置されている。溝部２２のボルト材料中心軸方向に伸びる両側縁部２４（溝肩部）は、傾倒ねじ山変形部２５を形成するための金型３２（図２１参照）の損傷を防止するため、Ｒ形状（丸められた形状）に形成される。なお、溝部２２の側縁部２４がエッジ状である場合は、金型３２に損傷が生じやすい。
【００５１】
次に、図１８（ａ）〜（ｃ）、図１９及び図２０に示すように、ボルト材料３０にねじ転造成形が施され、ボルト軸部１８の外周面に雄ねじ部１９が形成される。なお、溝部２２は、ボルト首部２１よりややボルト先端側の部位において雄ねじ部１９が形成された部分で終端している。ここで、ボルト軸部１８の先端部近傍には雄ねじが形成されていない先端テーパ部２０が存在する一方、末端部近傍には雄ねじが形成されていないボルト首部２１が存在する。なお、図１９中において、Ｔ（二点鎖線）は、ねじ転造成形が施される前のボルト材料３０の外周面ないしは外径を示している。また、図２０中において、Ｇ１及びＧ２は、それぞれ、雄ねじ部１９の外径及び谷径を示している。前記のとおり溝部２２の側縁部２４（溝肩部）がＲ形状に形成されているので、溝部２２の側縁部２４に対応する部分３４では雄ねじ部１９はＲ形状となる。
【００５２】
この後、図２１〜図２３に示すように、溝部２２の両側縁部２４の近傍において、雄ねじ部１９の頂部近傍部をボルト材料末端側に傾倒するように塑性変形させて傾倒ねじ山変形部２５を形成する。具体的には、まず、中空部３３を備えた金型３２を準備する。図２１に示すように、金型３２の中空部３３は、溝部２２の側縁部２４の近傍に対応する部分以外の部分では、Ｊ１及びＪ２で示すように、ボルト軸部１８の横断面の外周形状に符合（フィット）する形状を備えている。他方、溝部２２の側縁部２４の近傍に対応する部分では、Ｊ３で示すように、ボルト軸部１８の横断面の外周形状Ｊ４よりも縮小された形状を備えている。なお、図２１は、金型３２の断面と、ねじ耘造成形が施された後におけるボルト材料３０のボルト軸部１８の雄ねじ部１９の横断面とを重ね合わせた図であり、実線は金型３２の形状を示し、二点鎖線は雄ねじ部１９の横断面を示している。
【００５３】
そして、図２２（ａ）〜（ｃ）及び図２３に示すように、中空部３３の形状とボルト軸部１８の横断面の外周形状とが符合する位置関係を維持しつつ同軸状に、ボルト材料３０をボルト先端側から金型３２の中空部３３に圧入する。かくして、中空部３３の周壁により、溝部２２の側縁３１の近傍で雄ねじ部１９の頂部近傍部が、ボルト末端側に傾倒するように塑性変形させられ、傾倒ねじ山変形部２５が形成される。以上により、実施形態１に係る塗膜除去ボルト１６Ａが完成する。なお、図２２（ａ）〜（ｃ）は傾倒ねじ山変形部２５が形成される前の状態を示し、図２３は傾倒ねじ山変形部２５が形成された後の状態を示している。
【００５４】
前記のとおり、金型３２の中空部３３は、溝部２２の側縁部２４の近傍に対応する部分ではボルト軸部１８の横断面の外周形状よりも縮小された形状を有するので、ボルト材料３０を中空部３３に圧入したときに、雄ねじ部１９の中空部３３よりも外側の部分、すなわち図２１中にＳで示す領域に対応する部分が傾倒ないしは塑性変形させられて傾倒ねじ山変形部２５となる。ここで、図２１中のＳで示す領域を増減することにより、雄ねじ部１９の塑性変形量ないしは傾倒ねじ山変形部２５の大きさを増減することができる。なお、ボルト軸部１８に形成された溝部２２は、ボルト材料３０を中空部３３に圧入する際に、ボルト材料３０と金型３２とを位置決めする機能を有する。この製造方法によれば、実施形態１に係る塗膜除去ボルト１６Ａを、容易にかつ安価に製造することができる。
【００５５】
（実施形態２に係る塗膜除去ボルトの製造方法）
以下、実施形態２に係る塗膜除去ボルト１６Ｂの製造方法を説明する。この塗膜除去ボルト１６Ｂの製造方法においては、塗膜除去ボルト１６Ａの製造方法の場合と同様に、所定の金属材料からなりボルトヘッド部１７及びボルト軸部１８を備えたボルト材料３０に対して冷間鍛造成形が施され、ボルト軸部１８の外周面に、ボルト材料先端又はボルト材料先端近傍部からボルト材料末端側に向かってボルト材料中心軸方向に直線状に伸びる２つの溝部２２が形成される（図１６（ａ）〜（ｃ）及び図１７参照）。次に、塗膜除去ボルト１６Ａの製造方法の場合と同様に、ボルト材料３０にねじ転造成形が施され、ボルト軸部１８の外周面に雄ねじ部１９が形成される（図１８（ａ）〜（ｃ）、図１９及び図２０参照）。
【００５６】
この後、溝部２２の両側縁部２４の近傍に対応する部分において雄ねじ部１９の頂部近傍部を、押圧部材（図７参照）を用いてボルト径方向にプレス成形を施して圧潰し、雄ねじ部１９の頂部近傍部をボルト先端側及びボルト末端側の両側にはみ出すように塑性変形させてプレスねじ山変形部２７を形成する。以上により、実施形態２に係る塗膜除去ボルト１６Ｂが完成する。この製造方法によれば、実施形態２に係る塗膜除去ボルト１６Ｂを、容易にかつ安価に製造することができる。
【符号の説明】
【００５７】
１  ねじ山、２  ボルト軸部、３  ボルト先端部、４  ボルトヘッド部、５  溝、６  ねじ山隆起部、６ａ  刃、６ｂ  逃げ部、７  突出部、１０  正規ねじ山部、１１  プレスねじ山変形部、１２  押圧部材、１３  傾倒ねじ山変形部、１５  ボルト、１６Ａ  塗膜除去ボルト、１６Ｂ  塗膜除去ボルト、１７  ボルトヘッド部、１８  ボルト軸部、１９  雄ねじ部、２０  先端テーパ部、２１  ボルト首部、２２  溝部、２４  側縁部、２５  傾倒ねじ山変形部、２７  プレスねじ山変形部、３０  ボルト材料、３２  金型、３３  中空部。
【図１】
2011179611.tif 000003
【図２】
2011179611.tif 000004
【図３】
2011179611.tif 000005
【図４】
2011179611.tif 000006
【図５】
2011179611.tif 000007
【図６】
2011179611.tif 000008
【図７】
2011179611.tif 000009
【図８】
2011179611.tif 000010
【図９】
2011179611.tif 000011
【図１０】
2011179611.tif 000012
【図１１】
2011179611.tif 000013
【図１２】
2011179611.tif 000014
【図１３】
2011179611.tif 000015
【図１４】
2011179611.tif 000016
【図１５】
2011179611.tif 000017
【図１６】
2011179611.tif 000018
【図１７】
2011179611.tif 000019
【図１８】
2011179611.tif 000020
【図１９】
2011179611.tif 000021
【図２０】
2011179611.tif 000022
【図２１】
2011179611.tif 000023
【図２２】
2011179611.tif 000024
【図２３】
2011179611.tif 000025